(57)【特許請求の範囲】
【請求項１】
ワイヤレスにより所定の機器を遠隔制御する遠隔制御装置において、
前記所定の機器に送信される管理用データ、制御プログラム及びデータファイルを含む所定のデータが記録されたＩＣカードを着脱可能に装着するＩＣカードスロットと、
前記ＩＣカードが前記ＩＣカードスロットに装着されると、前記ＩＣカードに記録された前記所定のデータを読出し、前記所定の機器に送信するコントローラとを有し、
前記所定の機器は、
前記遠隔制御装置から送信された前記所定のデータを受信する受信部と、
前記受信部で受信した前記所定のデータのうちの前記制御プログラムで自機のランダムアクセスメモリ内の制御プログラムを更新すると共に、前記管理用データに応じて自機の表示画面を切り換えるシステムコントローラとを備えている
ことを特徴とする遠隔制御装置。
【請求項２】
前記所定の機器は、テレビジョン受像機である
ことを特徴とする請求項１に記載の遠隔制御装置。
【請求項３】
前記テレビジョン受像機は、
該テレビジョン受像機の所定の機能を選択するためのメニュー画面を表示し、
前記所定のデータは、
前記メニュー画面を変更するデータを含んでいる
ことを特徴とする請求項２に記載の遠隔制御装置。
【請求項４】
前記データファイルは、
前記テレビジョン受像機で再生されるビデオデータ及びオーディオデータを含んでいる
ことを特徴とする請求項２に記載の遠隔制御装置。
【発明の詳細な説明】
【０００１】
【発明の属する技術分野】
本発明は、遠隔制御装置に関し、例えばテレビジョン受像機とこのテレビジョン受像機を遠隔制御するリモートコマンダに適用することができる。本発明は、ＩＣカードを装着できるように遠隔制御装置を構成し、このＩＣカードに記録されたデータを制御対象の機器に送信することにより、例えば制御プログラムのバージョンアップを簡易に実行できるようにする。
【０００２】
【従来の技術】
従来、テレビジョン受像機においては、単にテレビジョン放送波を受信するだでなく、例えばインターネット等の情報ネットワークに接続して種々の情報を取得できるようになされたものがある。
【０００３】
【発明が解決しようとする課題】
ところでこのような情報ネットワークに接続できるような機器においては、従来、パーソナルコンピュータがあり、パーソナルコンピュータにおいては、このような情報ネットワークに接続する為のアプリケーションソフトが種々に提供される。またこの種のアプリケーションソフトにおいては、必要に応じてバージョンアップされる特徴がある。さらにこの種の情報ネットワーク自体、サービスが種々に変更される場合がある。
【０００４】
これによりこの種のテレビジョン受像機においても、必要に応じて制御プログラムを簡易に更新することができれば、この種の機器の使い勝手を一段と向上できると考えられる。
【０００５】
本発明は以上の点を考慮してなされたもので、テレビジョン受像機の制御プログラム等を簡易に更新することができる遠隔制御装置及び表示装置を提案しようとするものである。
【０００６】
【課題を解決するための手段】
かかる課題を解決するため請求項１の発明においては、ワイヤレスにより所定の機器を遠隔制御する遠隔制御装置において、前記所定の機器に送信される管理用データ、制御プログラム及びデータファイルを含む所定のデータが記録されたＩＣカードを着脱可能に装着するＩＣカードスロットと、前記ＩＣカードが前記ＩＣカードスロットに装着されると、前記ＩＣカードに記録された前記所定のデータを読出し、前記所定の機器に送信するコントローラとを有し、前記所定の機器は、前記遠隔制御装置から送信された前記所定のデータを受信する受信部と、前記受信部で受信した前記所定のデータのうちの前記制御プログラムで自機のランダムアクセスメモリ内の制御プログラムを更新すると共に、前記管理用データに応じて自機の表示画面を切り換えるシステムコントローラとを備えているようにする。
【０００８】
遠隔制御装置において、着脱可能に装着したＩＣカードより、このＩＣカードに記録したデータを機器に送信すれば、ＩＣカードによりバージョンアップした制御プログラム等の提供を受けて、この制御プログラムを遠隔操作により機器に送信することができる。これにより制御プログラム等を簡易に更新することができる。
【００１０】
【発明の実施の形態】
以下、適宜図面を参照しながら本発明の実施の形態を詳述する。
【００１１】
図２は、本発明の実施の形態に係るテレビジョン受像機をその周辺構成と共に示す斜視図である。このテレビジョン受像機１においては、リモートコマンダ２の遠隔制御により動作を切り換え、テレビジョン放送波を受信し、またインターネットに接続される。またリモートコマンダ２より送出されたデータを受信し、このデータにより制御プログラムを更新する。受信装置４は、このようにしてリモートコマンダ２よりテレビジョン受像機１に向けて送出される各種データのうち、静止画、音声のデータを受信し、これらのデータをデータ伸長してテレビジョン受像機１に出力する。
【００１２】
図３は、このリモートコマンダ２を示す平面図である。このリモートコマンダ２は、テレビジョン受像機１を赤外線により遠隔制御する。さらにリモートコマンダ２は、ＩＣカード３を装着して、このＩＣカード３に記録された制御プログラムのデータ、静止画のデータ等をテレビジョン受像機１に送信する。
【００１３】
ここでリモートコマンダ２は、先端が広がった棒形状により形成され、根元側に数字の操作子９、メニュー画面を開く操作子１０等が配置される。さらにリモートコマンダ２は、リング状に左右、上下にカーソル等を移動させる操作子１１が配置され、これら操作子１１の中央に決定の操作子１２が配置される。リモートコマンダ２は、先端側にＩＣカード３を挿入するスロット１３が形成され、このスロット１３の下側に赤外線の送出部が形成される。リモートコマンダ２は、このスロット１３の両側に、電源スイッチ１４、ＩＣカード３より管理用データ等をロードする操作子１５、ＩＣカード３のデータを送信する操作子１６が配置される。
【００１４】
さらにリモートコマンダ２は、操作子１１の先端側に、ＩＣカード３に記録されたデータの内容を示す表示部１７が形成される。なおこのデータの内容は、管理用データをロードして検出されるＩＣカード３に記録されたファイルの種類を示し、ここでは発光ダイオードの点灯により、静止画を示すビデオの表示、音声を示すオーディオの表示、制御プログラム等の各種データを示すデータの表示が形成されるようになされている。
【００１５】
図４は、ＩＣカード３のメモリ空間を示す略線図である。ＩＣカード３は、メモリ空間の先頭領域よりＩＣカードのボリューム、全体の記録容量等が記録された後、続いて管理用データが記録され、残る領域に制御プログラムのファイル、ビデオデータのファイル、オーディオデータのファイル等が記録される。ここで管理用データは、ユーザー領域を管理するデータが記録される。具体的に、各ファイルのアドレス、ファイルの種類（ビデオデータ、オーディオデータ、テキストデータ等の種類と圧縮のフォーマット等である）、残りの記録容量等が記録される。これによりＩＣカード３は、この管理用データを基準にしてユーザー領域をアクセスして所望のデータをロードできるようになされている。
【００１６】
図１は、テレビジョン受像機１とリモートコマンダ２とを示すブロック図である。リモートコマンダ２は、操作子９〜１２、１４〜１６の操作に応動したコントローラ２０の制御によりテレビジョン受像機１を遠隔制御する。
【００１７】
すなわちリモートコマンダ２において、コントローラ２０は、マイクロコンピュータにより構成され、操作子９〜１２、１４〜１６の操作に応動して送信部２１の動作を制御し、これによりテレビジョン受像機１に向けて遠隔制御信号を送出する。
【００１８】
またリモートコマンダ２は、インターフェース（Ｉ／Ｆ）２２を介してＩＣカード３の装着が検出されると、ロードの操作子１４の操作により、インターフェース２２を制御してＩＣカード３より管理用データをロードする。さらにロードが完了すると、この管理用データに割り当てられたファイルの種別よりビデオ、オーディオ、データの表示に割り当てられた発光ダイオードによる表示部１７を駆動する。さらにリモートコマンダ２は、この状態でユーザーが送信の操作子１６を操作すると、インターフェース２２を制御してＩＣカード３に記録された管理用データ、ファイルのデータを送信部２１に順次送出する。
【００１９】
インターフェース２２は、ＩＣカード３を接続するコネクタについて、所定の端子電圧をモニタし、この端子電圧の変化によりＩＣカード３の着脱を検出する。またこのようにしてＩＣカード３の装着を検出すると、ＩＣカード３をアクセスし、これによりＩＣカード３が正しく装填されたか否か検出し、正しく装填されている場合にはコントローラ２０に通知する。またこれとは逆に、この端子電圧の変化によりＩＣカード３が取り外されたことを検出し、この場合もコントローラ２０に通知する。
【００２０】
さらにインターフェース２２は、コントローラ２０の制御により、ＩＣカード３の管理用データをロードしてコントローラ２０に通知し、さらにはＩＣカード３に記録されたファイルのデータを順次ロードして送信部２１に伝送する。
【００２１】
送信部２１は、コントローラ２０の制御により赤外線による遠隔制御信号を送出し、これによりテレビジョン受像機１を遠隔制御する。さらに送信部２１は、同様のコントローラ２０の制御により、インターフェース２２より伝送されるＩＣカードのデータを所定の変調方式により変調して赤外線により送出する。
【００２２】
これらによりリモートコマンダ２は、テレビジョン受像機１を遠隔制御し、またＩＣカード３に記録した各種データをテレビジョン受像機１に送信するようになされている。
【００２３】
テレビジョン受像機１において、モデム３１は、システムコントローラ３８の制御により電話回線を介して所望のデータを送出し、これにより例えばインターネットに接続して電子メールを送受する。
【００２４】
セットトップボックス（ＳＴＢ）３２は、ケーブルテレビのネットワークに接続され、システムコントローラ３８の制御によりこのネットワークより種々の番組を選択する。セットトップボックス３２は、この選択した番組の受信信号をテレビジョンチューナー部３３に出力する。
【００２５】
テレビジョンチューナー部３３は、システムコントローラ３８の制御により所望の放送チャンネルを選局し、選局したチャンネルのビデオデータ、オーディオデータを表示部３４に出力する。またユーザーがケーブルテレビを選択した場合には、システムコントローラ３８の制御により、放送チャンネルに代えてセットトップボックス３２より入力される受信信号を処理して、そのビデオデータ及びオーディオデータを表示部３４に出力する。
【００２６】
表示部３４は、テレビジョンチューナー部３３、ビデオデッキ部３５より出力されるビデオデータを処理して所定の表示画面に表示する。また同様にして得られるオーディオデータを処理してスピーカーより出力する。さらに表示部３４は、ユーザーによりメニュー画面が選択されると、システムコントローラ３８の制御により現在表示中の画面にこれらメニュー画面によるウインドウを表示する。
【００２７】
ビデオデッキ部３５は、システムコントローラ３８の制御により動作を切り換え、このテレビジョン受像機１で受信可能な各種番組を記録し、また記録した番組を再生して出力する。
【００２８】
受信部３６は、リモートコマンダ２より送出される赤外線を受光し、受光結果を処理する。これにより受信部３６は、リモートコマンダ２より出力される遠隔制御信号、各種データを取得し、システムコントローラ３８に通知する。
【００２９】
システムコントローラ３８は、このテレビジョン受像機１全体の動作を制御するマイクロコンピュータである。すなわちシステムコントローラ３８は、受信部３６の通知に従ってランダムアクセスメモリ３７に記録された制御プログラムを実行することにより、リモートコマンダ２の操作に応動してこのテレビジョン受像機１の動作を切り換える。
【００３０】
すなわちユーザーが数字の操作子９を操作してチャンネルを選択すると、この選択に応動してテレビジョンチューナー部３３、セットトップボックス３２に制御コマンドを発行し、これにより所望の番組を選択する。これらの制御において、システムコントローラ３８は、リモートコマンダ２において、ユーザがメニュー画面を開く操作子１０を操作すると、この操作に応動して図５に示すメインメニューのウインドウを表示する。
【００３１】
ここでこのメインメニューのウインドウには、メインメニューであることを示す表示（ＭＡＩＮ  ＭＥＮＵ）と、ユーザーに操作を促すメッセージが表示される。また各種の選択メニューが表示される。ここでこれら選択メニューは、操作ガイドの選択メニュー（ＳＥＬＥＣＴ  ＧＵＩＤＥ）、操作ガイドの主の選択メニュー（ＭＡＳＴＥＲ  ＧＵＩＤＥ）、操作可能なリストのメニュー（ＳＥＬＥＣＴ  ＬＩＳＴ）、ケーブルテレビによる映画のガイドメニュー（ＭＯＶＩＥＳＧＵＩＤＥ）、メインメニュー画面を抜け出すメニュー（ＥＸＩＴ）、ケーブルテレビによる映画のリストメニュー（ＭＯＶＩＥＳ  ＬＩＳＴ）、オプションのメニュー（ＯＰＴＩＯＮＳ  ＭＥＮＵ）、時計のセットアップメニュー（ＴＩＭＥＲ  ＳＥＴＵＰ）、制御プログラムのセットアップメニュー（ＳＥＴＵＰ
ＭＥＮＵ）により形成される。
【００３２】
システムコントローラ３８は、このメインメニューを表示する際に、ディフォルトの状態でメインメニュー画面を抜け出すメニュー（ＥＸＩＴ）の表示色を切り換えて表示する。さらにリモートコマンダ２において左右、上下にカーソル等を移動させる操作子１１が操作されると、この操作に応動して表示色を切り換えてなるメニューを順次切り換え、これによりユーザーにおいて操作子１１を操作して所望のメニューを自由に選択できるようにする。さらにシステムコントローラ３８は、このようにして所望のメニューが選択された後、決定の操作子１２が操作されると、各メニュー画面に対応する副のメニュー画面を表示し、また必要に応じて映画のリスト等を表示する。
【００３３】
図６は、このようにして操作可能なリストのメニュー（ＳＥＬＥＣＴ  ＬＩＳＴ）が選択されて決定の操作子１２が操作された場合における表示画面を示す略線図である。システムコントローラ３８は、このメニュー（ＳＥＬＥＣＴ  ＬＩＳＴ）の表示画面において、この表示画面より抜け出すメニュー（ＥＸＩＴ）、電子メールのメニュー（ＭＥＳＳＡＧＥ）、ビデオデッキ部３５におけるタイマー録画の設定メニュー（ＴＩＭＥＲ／ＲＥＣ）、特定の番組の試聴を制限するメニュー（ＬＯＣＫ＆ＬＩＭＩＴＳ）を表示する。
【００３４】
システムコントローラ３８は、メインメニュー画面における操作と同様にして、例えば電子メールのメニュー（ＭＥＳＳＡＧＥ）が選択された場合、続く操作画面を表示し、ユーザーの操作に応動してモデム３１を駆動することにより電子メールを送受する。またタイマー録画の設定メニュー（ＴＩＭＥＲ／ＲＥＣ）画面が選択された場合、対応する操作画面を表示してタイマ録画予約を受け付ける。
【００３５】
これに対してメインメニュー画面において、制御プログラムのセットアップメニュー（ＳＥＴＵＰ  ＭＥＮＵ）が選択された場合、システムコントローラ３８は、所定の表示画面を表示する。システムコントローラ３８は、この表示画面中において、セットアップ用の操作手順を説明する。この実施の形態の場合、システムコントローラ３８は、セットアップ用のＩＣカード３をリモートコマンダ２に装着した後、ロードの操作子１５、送信の操作子１６を順次操作する旨、メッセージを表示する。
【００３６】
システムコントローラ３８は、この表示画面の表示に従ったユーザーの操作によりＩＣカード３の管理用データ、制御プログラムのデータがリモートコマンダ２より送信されて受信部３６より通知されると、この制御プログラムによりランダムアクセスメモリ３７に格納した制御プログラムを更新し、これにより例えば制御プログラムをバージョンアップする。このときシステムコントローラ３８は、この制御プログラムのデータと共に伝送される管理用データに応じて表示画面を切り換えると共に、ユーザーの操作を受け付け、これにより更新する制御プログラムをユーザーにより確認させる。
【００３７】
これによりシステムコントローラ３８は、例えば図６について上述したタイトルによるメニュー画面を図７に示すようにシンボルによるメニュー画面に変更できるようになされている。
【００３８】
以上の構成において、このテレビジョン受像機１においては（図１及び図２）、リモートコマンダ２における電源の操作子１４の操作により、送信部２１からテレビジョン受像機１に向けて赤外線による遠隔制御信号が送出される。テレビジョン受像機１においては、この遠隔制御信号が受信部３６において受信され、この受信結果によるシステムコントローラ３８の制御による電源が立ち上げられる。また数字の操作子９の操作により同様に遠隔制御信号がリモートコマンダより送出され、この遠隔制御信号により例えばテレビジョンチューナー部３３の動作が切り換えられてチャンネルが切り換えられる。
【００３９】
このようにしてテレビジョン受像機を遠隔制御するリモートコマンダ２において、メニューの操作子１０が操作されると、テレビジョン受像機１においては、遠隔制御によりメインメニュー画面（図５）が表示される。この状態でリモートコマンダ２において、操作子１１が操作されると、このメニュー画面における各メニューの表示が切り換わり、このようにしてメニューの表示色を切り換えることにより所望のメニューを選択した状態で、決定の操作子１２を操作することによりこの選択したメニューを実行することが可能となる。
【００４０】
すなわち例えば操作可能なリストのメニュー（ＳＥＬＥＣＴ  ＬＩＳＴ）を選択して決定の操作子１２を操作した場合には、続くメニュー画面（図６）が表示され、この続くメニュー画面において同様に所望のメニューを選択して決定の操作子１２を操作することにより、タイマー録画予約、電子メール等が可能となる。
【００４１】
これに対して制御プログラムのセットアップメニュー（ＳＥＴＵＰ  ＭＥＮＵ）が選択された場合、テレビジョン受像機１において、ＩＣカード３をリモートコマンダ２に装着した後、ロードの操作子１５、送信の操作子１６を順次操作する旨のメッセージが表示される。このメッセージに対応してＩＣカード３をリモートコマンダ２に装着すると、リモートコマンダ２においては、インターフェース２２によりＩＣカード３の装着が検出され、コントローラ２０に通知される。
【００４２】
この状態でロードの操作子１５が操作されると、ＩＣカード３に記録された管理用データがロードされ（図４）、ＩＣカード３に記録されたファイルの種別が表示部１３に表示される。さらにこの表示を確認して実行される操作子１６の操作によりこの管理用データ、ＩＣカード３に記録されたファイルのデータがテレビジョン受像機１に送信される。
【００４３】
これによりテレビジョン受像機１において、この送信されたファイルのデータによりランダムアクセスメモリ３７の制御プログラムが更新され、例えばタイトルによるメニュー画面（図６）をシンボルによるメニュー画面（図７）に変更するように制御プログラムが更新される。
【００４４】
以上の構成によれば、ＩＣカード３に記録したデータをリモートコマンダ２によりテレビジョン受像機１に送信することにより、またこのようにして送信されたデータにより制御プログラムを更新することにより、ＩＣカード３によりバージョンアップ等の制御プログラムの提供を受け、簡易に制御プログラムを更新することができる。
【００４５】
なお上述の実施の形態においては、制御プログラムの更新によりメニュー画面の表示を変更する場合について述べたが、本発明はこれに限らず、単なる制御プログラムのバージョンアップ、さらには機能の追加等に広く適用することができる。
【００４６】
また上述の実施の形態においては、テレビジョン受像機の制御プログラムをバージョンアップする場合について述べたが、本発明はこれに限らず、種々の機器の制御プログラムをバージョンアップする場合、さらにはセットアッププログラムのローディング等に広く適用することができる。
【００４７】
【発明の効果】
上述のように本発明によれば、ＩＣカードを装着できるように遠隔制御装置を構成し、このＩＣカードに記録されたデータを遠隔制御信号と同様に送信することにより、例えば制御プログラムのバージョンアップを簡易に実行することができる。
【図面の簡単な説明】
【図１】本発明の実施の形態に係るテレビジョン受像機とリモートコマンダとを示すブロック図である。
【図２】図１の構成を示す斜視図である。
【図３】リモートコマンダを示す平面図である。
【図４】ＩＣカードのフォーマットを示す略線図である。
【図５】メインメニュー画面を示す略線図である。
【図６】副のメニュー画面を示す略線図である。
【図７】図６のメニュー画面に対応して更新したメニュー画面を示す略線図である。
【符号の説明】
１……テレビジョン受像機、２……リモートコマンダ、３……ＩＣカード、２０……コントローラ、３２……システムコントローラ、３７……ランダムアクセスメモリ
【図１】
0003951158.tif 000002
【図２】
0003951158.tif 000003
【図３】
0003951158.tif 000004
【図４】
0003951158.tif 000005
【図５】
0003951158.tif 000006
【図６】
0003951158.tif 000007
【図７】
0003951158.tif 000008